(57)【要約】【課題】本発明は、学術文献情報をはじめとするオンライン投稿システムにおいて、投稿者や編集者が予期しないような編集上のミスおよびトラブルの発生を大幅に改善すると同時に、論文集、抄録集など学術文献冊子・ＣＤ−ＲＯＭ・Ｗｅｂ情報、一般雑誌、新聞等、オンラインで提供される広報誌等の編集の効率化を図ることを目的とする。【解決手段】データの自動組版を望むクライアントのもとにあるクライアントコンピュータＡ及び管理者のもとにあるサーバーマシンＢで構成され、両者はインターネット網に接続されており、サーバーマシンＢは、クライアントコンピュータＡからオンラインでサーバーマシンＢへ投稿された書誌データについて自動組版を実行し、自動組版後のデータをデータベースに登録する自動組版手段１０と、自動組版後のデータを既入力データとして蓄積するデータベース手段とからなる自動組版機能付きオンラインデータ投稿システム。【選択図】図１
2005316911.tif 000002
【特許請求の範囲】
【請求項１】
データの自動組版を望むクライアントのもとにあるクライアントコンピュータ及び管理者のもとにあるサーバーマシンで構成され、両者はインターネット網に接続されており、
前記サーバーマシンは、
前記クライアントコンピュータからオンラインで前記サーバーマシンへ投稿された書誌データについて自動組版を実行し、
自動組版後のデータをデータベースに登録する自動組版手段と、
自動組版後のデータを既入力データとして蓄積するデータベース手段と、
を有する自動組版機能付きオンラインデータ投稿システム。
【請求項２】
前記自動組版手段は、クライアントが書誌データを入力するための書誌情報入力画面をクライアントコンピュータの画面に表示し、該画面上に入力された情報はオンラインで前記サーバーマシンが受領する請求項１記載のオンラインデータ投稿システム。
【請求項３】
前記自動組版手段は、クライアントが、投稿先ごとに予め蓄積した統一された様式を書誌データ中で指定することによりその様式を検索抽出して、自動組版する請求項１又は２記載のオンラインデータ投稿システム。
【請求項４】
前記自動組版手段は、自動組版後のデータをデータベースに登録する前に、自動組版の結果をクライアントコンピュータの画面に表示する請求項１〜３のいずれかに記載のオンラインデータ投稿システム。
【請求項５】
前記自動組版手段は、自動組版後のデータをデータベースに登録する前に、クライアントの確認を取る請求項４記載のオンラインデータ投稿システム。
【請求項６】
前記自動組版手段は、自動組版後の書誌データをクライアントコンピュータ側から直接校正できるように表示する請求項５記載のオンラインデータ投稿システム。
【請求項７】
前記自動組版手段は、データベースに保存されている既入力データをクライアントコンピュータ側から直接更新できるように表示する請求項１〜６のいずれかに記載のオンラインデータ投稿システム。
【請求項８】
前記データベースは、既入力データを、データごとのＩＤ／パスワードを付して蓄積し、ＩＤ／パスワードで検索読み出し可能とする請求項１〜７のいずれかに記載のオンラインデータ投稿システム。
【請求項９】
前記自動組版手段は、ＩＤ／パスワードによりデータベースから対応する既入力データを読み出し、クライアントが更新された書誌データを入力するための書誌情報更新画面をクライアントコンピュータの画面に表示し、該画面上に入力された情報はオンラインでサーバーマシンが受領する請求項８記載のオンラインデータ投稿システム。
【発明の詳細な説明】
【技術分野】
【０００１】
本発明は、自動組版機能付きオンラインデータ投稿システムに関し、詳しくは、学術文献などを学会誌に投稿するにあたり、印刷後のレイアウトを予め確認でき、自動組版を可能とする学術文献情報のオンラインデータ投稿システムに関する。
【背景技術】
【０００２】
投稿者が、論文集や抄録集などの学術文献冊子・ＣＤ−ＲＯＭ・Ｗｅｂ情報に学術論文を投稿する際は、従来、学会ごとに定められた様式を調べ、これに合わせて文書を作成して、その様式に合わせたデータを作成してから投稿することが必要であった。
そこで、このような学会ごとの様式の違いを確認する投稿者の負担を緩和して投稿を促進すると共に、学会関係者の様式のチェック負担をも緩和し、投稿を促進するものとして、インターネット（Ｗｅｂ）を利用した学術文献情報のオンライン投稿システムが開発されている。
このようなものとして、例えば、クライアント（投稿者）が、文書画像の内容を表すデータをＷＷＷサーバに送信するステップと、前記ＷＷＷサーバを有するコンピュータが、前記データから文書画像のフォーマットに従った文書画像のイメージファイルを生成するステップと、課金サーバが、前記イメージファイルについて課金をするステップと、前記ＷＷＷサーバが、課金された前記イメージファイルを前記クライアントに送信するステップと、を有することを特徴とする文書画像作成支援方法が提供されている（特許文献１参照）。
【０００３】
従来のインターネットを利用した学術文献情報のオンライン投稿システムは、投稿者側で入力されたデータが一方向的にオンラインサーバー上に取り込まれ、そこから抽出したテキストデータをオフラインにてＤＴＰ（デスクトップパブリッシング）処理により、学会ごとに統一された書式、書体、文字サイズ等の様式にて組版処理（レイアウト編集）を行う場合が多かった。
Ｗｅｂを介しての情報のやり取りは、Ｗ３Ｃ（World Wide Consortium）によるＷＷＷで利用される技術の国際的な標準化に基づいて行われるが、実際のところ、すべての投稿者がそれらを詳細に周知しているわけではない。
そのため、上記システムのもとでは、ＨＴＭＬデータとしてしか投稿者は確認できなかったため、各コンピュータ間で使用するＯＳ、フォント、言語体系の違いから、文字コードのミスマッチングが発生し、これにより文字化けやレイアウトミス（フォーマットの不統一）など、入力した投稿者（著者）の意図しない文字に置き換えられてしまうトラブルが発生していた。このような問題は、日本国内だけでなく、海外からの投稿の場合さらに顕著であった。
【０００４】
また、事務局においても、数千ページにもおよぶ大量の文献情報を、統一された書式、書体、文字サイズにて編集するためには、多くの労力（制作時間）と熟練されたＤＴＰ編集技術が必要であった。
さらに、オフラインでのＤＴＰ組み版処理はほとんどの場合、日本国内の外部の印刷会社等で行われるため、実際に印刷されたときの状態を投稿者も事務局（編集者）も確認できなかったことから、上記の問題は、さらに拡大する傾向にあった。
このように、従来のシステムにおいては、投稿者や事務局の予期しないエラーやトラブルの発生を回避することが極めて困難であった。
【０００５】
【特許文献１】特開２００２−２６９２１５号公報
【発明の開示】
【発明が解決しようとする課題】
【０００６】
本発明は、学術文献情報をはじめとするオンラインデータ投稿システムにおいて、投稿者や編集者が予期しないような編集上のミスおよびトラブルの発生を大幅に改善すると同時に、論文集、抄録集など学術文献冊子・ＣＤ−ＲＯＭ・Ｗｅｂ情報、一般雑誌、新聞等、オンラインで提供される広報誌等、刊行物の編集の効率化を図ることを目的とする。
【課題を解決するための手段】
【０００７】
本発明者らは上記課題を解決すべく鋭意検討を重ねた結果、クライアント（投稿者）からインターネット（Ｗｅｂ）経由で投稿（入力）された書誌データをサーバーマシン上でリアルタイムに自動組版し、実際の印刷イメージデータを生成すると同時に、その結果を投稿者（入力者）側のクライアントマシン（クライアントコンピュータ）に確認画面として表示させることにより、上記目的を達成できることを見出し、本発明に到達した。
【０００８】
すなわち、請求項１記載の自動組版機能付きオンラインデータ投稿システムは、
データの自動組版を望むクライアントのもとにあるクライアントコンピュータ及び管理者のもとにあるサーバーマシンで構成され、両者はインターネット網に接続されており、
サーバーマシンは、
クライアントコンピュータからオンラインでサーバーマシンへ投稿された書誌データについて自動組版を実行し、
自動組版後のデータをデータベースに登録する自動組版手段と、
自動組版後のデータを既入力データとして蓄積するデータベース手段と、
を有する。
【０００９】
請求項２のオンラインデータ投稿システムは、請求項１において、
前記自動組版手段は、クライアントが書誌データを入力するための書誌情報入力画面をクライアントコンピュータの画面に表示し、該画面上に入力された情報はオンラインでサーバーマシンが受領する。
請求項３オンラインデータ投稿システムは、請求項１又は２において、
前記自動組版手段は、クライアントが、投稿先ごとに予め蓄積した統一された様式を書誌データ中で指定することによりその様式を検索抽出して、自動的に組版することを特徴とする。
【００１０】
請求項４のオンラインデータ投稿システムは、請求項１〜３のいずれかにおいて、
前記自動組版手段は、自動組版後のデータをデータベースに登録する前に、自動組版の結果をクライアントコンピュータの画面に表示することを特徴とする。
請求項５のオンラインデータ投稿システムは、請求項４において、
前記自動組版手段は、自動組版後のデータをデータベースに登録する前に、クライアントの確認を取ることを特徴とする。
請求項６のオンラインデータ投稿システムは、請求項５において、
前記自動組版手段は、自動組版後の書誌データをクライアントコンピュータ側から直接校正できるように表示することを特徴とする。
【００１１】
請求項７のオンラインデータ投稿システムは、請求項１〜６のいずれかにおいて、
前記自動組版手段は、データベースに保存されている既入力データをクライアントコンピュータ側から直接更新できるように表示することを特徴とする。
請求項８のオンラインデータ投稿システムは、請求項１〜７のいずれかにおいて、
前記データベースは、既入力データを、データごとのＩＤ／パスワードを付して蓄積し、ＩＤ／パスワードで検索読み出し可能とすることを特徴とする。
請求項９のオンラインデータ投稿システムは、請求項８において、
前記自動組版手段は、ＩＤ／パスワードによりデータベースから対応する既入力データを読み出し、クライアントが更新された書誌データを入力するための書誌情報更新画面をクライアントコンピュータの画面に表示し、該画面上に入力された情報はオンラインでサーバーマシンが受領することを特徴とする。
【発明の効果】
【００１２】
本発明によれば、Ｗｅｂフォームにて入力されたデータを、予めプログラムされた書式・レイアウト・書体・文字サイズ等で、リアルタイムに自動組版し、実際の印刷イメージデータを生成すると共に、その組版結果をクライアントコンピュータに表示させることができる。そして、国内はもとより海外の投稿者（入力者）であっても、自らの投稿したデータを出版物が完成してからではなく事前に実際の印刷イメージデータを校正（チェック）することができる。
その結果、文献データ編集上のミスやトラブルの発生を大幅に減少させることができると同時に、文献制作時間および文献制作コストにおいて、大幅な効率化が可能となる。
【発明を実施するための最良の形態】
【００１３】
本発明のシステムは、図１に示すとおり、クライアントコンピュータＡ及びサーバーマシンＢで構成され、両者はインターネット網に接続されている。
文献データとしては、論文集、抄録集など学術文献冊子・ＣＤ−ＲＯＭ・Ｗｅｂ情報に掲載する学術論文の他、一般雑誌、新聞等、オンラインで提供される広報誌等に掲載する投書や記事等を挙げることができる。
以下、主に学術論文の場合を例にとって本発明のシステムを詳細に説明する。
【００１４】
クライアントコンピュータＡとは、学会投稿者、記者、ライター、一般投稿者など、データの自動組版を望むクライアントの手元にあるコンピュータをいい、インターネット網にアクセスするための機能を有する。
【００１５】
一方、サーバーマシンＢ（自動組版機能付きオンライン投稿用サーバー）とは、本システムの管理者の手元にあるコンピュータをいい、図５に示すような自動組版手段１０とデータベース２０とが実装されている。
【００１６】
自動組版手段１０は、クライアントコンピュータＡからオンラインでサーバーマシンＢへ投稿された書誌データについて自動組版を実行し、自動組版後のデータをデータベース２０に登録する機能を有する。このような自動組版を実行するプログラムとしては、ＬＩＰＳ（Ｌｉｍ  Ｉｎｔｅｒａｃｔｉｖｅ  Ｐｒｏｃｅｓｓｉｎｇ  Ｓｙｓｔｅｍ、（株）リムコーポレーション社製）があるが、その他、市販の自動組版システムを用いることができる。
書誌データとは、上述したようなデータ（すなわち、学術論文、一般雑誌、新聞等、オンラインで提供される広報誌等に掲載する投書や記事等）の内容そのもののほか、投稿者情報などを投稿先をも含んだデータをいう。
オンラインによる投稿を効率的に行うために、自動組版手段１０は、クライアントが書誌データを入力するための書誌情報入力画面をクライアントコンピュータＡの画面に表示し、該画面上に入力された情報をオンラインでサーバーマシンＢが受領するようにしている。
【００１７】
書誌情報入力画面の一例としては、例えば、図２に示すように、「演題に関する担当者連絡先情報」、「演題の発表形態情報」、「著者の所属機関情報」などの大項目を表示し、各項目にクライアントが入力可能な画面とすることが好ましい。
例えば、「演題に関する担当者連絡先情報」については、連絡先が筆頭著者か発表者のいずれかを選択するための項目、氏名、郵便番号、住所、電話番号、ＦＡＸ番号、メールアドレス、所属機関名、事務局への連絡事項を入力するための空欄が設けられている。
また、「演題の発表形態情報」については、講演形態、発表形式、発表カテゴリーを選択するための項目が設けられている。
更に、「著者の所属機関情報」については、機関名、部署名、住所等の連絡先などを入力するための空欄が設けられている。
そして、図２中には示さないが、その他の「データ」を添付するための項目を設けることもできる。
【００１８】
自動組版は、入力されたデータに基づき、投稿先毎に統一された様式で行う。統一された様式は投稿先ごとに自動組版手段１０に予め蓄積されており、クライアントが投稿先を書誌データ中で指定することにより、その様式を検索抽出して自動的に組版することができる。
統一された様式とは、例えば、論文集、抄録集など学術文献冊子の場合、投稿者情報掲載欄（投稿者の氏名、所属、過去の実績、顔写真、英文表記、など）、要約（書式、文字数、英文など）、本文のレイアウト（書式、文字数、英文など）、図面や写真の配置、参考文献、各項目の有無や配置、冊子のサイズ（Ａ４、Ｂ５など）などを意味する。
【００１９】
自動組版手段１０は、自動組版後のデータをデータベース２０に登録する前に、自動組版の結果をクライアントコンピュータＡの画面に表示する。自動組版の結果、すなわち、実際の印刷イメージデータ（書式、レイアウト、書体、文字サイズなど）を、投稿者は確認し、文書中に文字化け、レイアウトミス等が発生しているか否かをチェックすることができる。例えば、図３に示すように、入力した書誌データ（図３の左）で表示されていた記号が、印刷時（図３の右）には文字化けすることがあるが、これをチェックすることができる。
自動組版の結果の表示は、例えば図４に示すようにＰＤＦ形式ファイルの形式とすると、よりレイアウトに近い状態で提供することができるが、ＨＴＭＬ形式、ＸＭＬ形式などのファイルでも提供できる。
【００２０】
また、自動組版手段１０は、自動組版後のデータをデータベース２０に登録する前に、クライアントの確認を取ることが好ましい。例えば、自動組版の結果と共に、ボタンがクリックされたか否かをサーバーマシンＢ側に伝えることのできる「登録」ボタンをクライアントコンピュータＡの画面に表示させ、投稿者がこの「登録」ボタンがクリックした場合には、自動組版手段１０はデータベース２０への登録を実行する。
また、自動組版後の書誌データをクライアントコンピュータＡ側から直接校正できるようにすることが好ましい。例えば、「登録」ボタン以外に、「校正」ボタンを設け、「校正」ボタンをクリックした場合は、書誌データが再表示されるようにする。再表示される書誌データは、ＨＴＭＬ形式などクライアントコンピュータＡ側から容易に訂正可能な形式で保存されていると、クライアントは、Ｗ３Ｃに準拠する制御タグおよび文字コードにより正しく入力しなおすことができるので、好ましい。再表示画面で修正し終わった後に、修正後の自動組版結果を示す画面を表示し、クライアントは上記と同様の手順で確認をしデータベースへの登録を行う。
【００２１】
また、いったんデータベース２０に登録された既入力データを、後日再び読み出して更新することを可能とするために、自動組版手段１０は、データベース２０に保存されている既入力データをクライアントコンピュータＡ側から直接更新できるように表示することが好ましい。
自動組版手段１０は、ＩＤ／パスワードによりデータベース２０から対応する既入力データを読み出し、更新された書誌データをクライアントが入力するための書誌情報更新画面をクライアントコンピュータＡの画面に表示し、該画面上に入力された情報はオンラインでサーバーマシンＢが受領するようにすることが好ましい。データに対応するＩＤ／パスワードについては、データベース２０の説明においてするように、データベース登録の際、自動組版手段１０から付与されるものである。書誌情報更新画面は、上記書誌情報入力画面と同じようなものとし、既に入力された事項が表示されるようなものとすることができる。
自動組版手段１０は、新規投稿の際と同様に、自動組版後のデータをデータベース２０に登録する前に、自動組版の結果をクライアントコンピュータＡの画面に表示することが好ましく、また、自動組版後のデータをデータベース２０に登録する前に、クライアントの確認を取ることが好ましい。
【００２２】
尚、自動組版手段１０は、本システムの専用登録サイトのメイン画面や、データ確認画面、受領確認画面、ＩＤ／パスワード入力画面、ＩＤ／パスワードが明記された受領メール等をクライアントコンピュータＡに提供又は送信することが好ましい。また、本システムの利用は、会員登録制としても良い。
【００２３】
データベース２０は、自動組版後のデータを既入力データとして蓄積する。
ここで、既入力データについてクライアントや管理者が後日更新できるように、既入力データごとのＩＤ／パスワードを付与して蓄積し、ＩＤ／パスワードの入力要求をした後、検索読み出し可能とすることもできる。
データの保存形式は、特に限定されないが、ＨＴＭＬ形式、ＸＭＬ形式など修正や多形式への変換が容易な形式に変換してからデータベース２０に格納することが好ましい。特に、図５に示すように、ＸＭＬ形式で管理することにより、ＸＳＬＴ形式からＦＯＰ形式を経てのＰＤＦ形式データの作成が可能であることから、既入力データの読み出しや印刷物へのアウトプット、ＣＤ−ＲＯＭ出版など、オンライン査読資料の提供が容易となる。
また、ＸＳＬＴ形式からのＨＴＭＬ形式データの作成が容易となることから、ＣＤ−ＲＯＭ出版やＷｅｂ公開においても、統一した見やすいレイアウトフォーマットでアウトプットすることができる。更に、ＸＭＬ形式タグテキストの出力が可能となるので、オフラインでの著者索引やプログラム作成が容易になる。
【００２４】
次に、本発明のシステムの流れを、図６を説明しながら説明する。
まず、前提として、クライアント（投稿者（入力者））は、クライアントコンピュータＡからインターネット上に公開された専用登録サイトにアクセスする。本システムに新規に投稿する場合は（ステップ１０１の「新規」）、必要な書誌情報（図２）をＷｅｂフォームに入力して（ステップ１０２）、ステップ１０７に進む。
一方、本システムに投稿したデータを更新する場合は（ステップ１０１の「更新」）、ＩＤ／パスワードを入力すると（ステップ１０３）、既入力データがサーバーマシンＢ（オンライン投稿サーバー）から送信され（ステップ１０４）、既入力データがクライアントコンピュータＡの画面に表示されるので（ステップ１０５）、クライアントは書誌情報を更新する（ステップ１０６）。
続いて、データをＨＴＭＬ形式にてサーバーマシンＢへ送信すると（ステップ１０７）、自動組版手段１０は自動組版を行い、印刷時の状態で組版結果を表示するＰＤＦ形式画面（図４）をクライアントコンピュータＡに送信する（ステップ１０８）。
クライアントは内容をＰＤＦ形式画面にて確認し、確認ができた場合は（ステップ１０９の「ＯＫ」）、Ｗｅｂ画面上の「登録」ボタンを押すことにより、データ格納手段がデータをデータベース２０に登録すると共に受領確認画面を送信し、更にＩＤ／パスワードが明記された受領メールを送信する（ステップ１１０）。一方、確認ができなかった場合は（ステップ１０９の「ＮＯ」）、ステップ１０４に戻る。
【産業上の利用可能性】
【００２５】
本発明によれば、データをリアルタイムに自動組版（レイアウト編集）することができるので、国内はもとより海外の投稿者（入力者）であっても、自らの投稿したデータを出版物が完成してからではなく事前に実際の印刷イメージデータ（レイアウト）を校正（チェック）することができる。よって、編集上のミスおよびトラブルの発生を大幅に改善すると同時に、制作時間および制作コストにおいて大幅な効率化が可能である。
【図面の簡単な説明】
【００２６】
【図１】本発明のシステムの全体構成を示す模式図である。
【図２】書誌情報入力画面の表示の一例を示す図である。
【図３】入力した書誌データ（左）と印刷時レイアウト（右）の相違の一例を示す図である。
【図４】自動組版の結果の表示の一例を示す図である。
【図５】データベースの一例を示す図である。
【図６】本発明のシステムの流れを示すフローチャートである。
【符号の説明】
【００２７】
Ａ  クライアントコンピュータ
Ｂ  サーバーマシン
１０  自動組版手段
２０  データベース
【図６】
2005316911.tif 000003
【図１】
2005316911.tif 000004
【図２】
2005316911.tif 000005
【図３】
2005316911.tif 000006
【図４】
2005316911.tif 000007
【図５】
2005316911.tif 000008